(57)【要約】【課題】ＤＶＤ等の光記録媒体のレーベル面を、中心側に拡大し、且つその拡大部分の白色度が低下しないようにする。【解決手段】光記録媒体１０は、ＤＶＤであり、ディスク本体１４のレーベル面側にインク受理層１６及び白色下地層１７を形成すると共に、記録層２２Ａと共に機能層２２を構成する反射層２２Ｂ及び前記インク受理層１６及び白色下地層１７のディスク本体中心側の内周端１６Ａ、１７Ａ、２３Ｂを、前記記録層２２Ａの内周端２３Ａよりも３〜１５ｍｍ程度、ディスク本体中心側となるように拡張した。【選択図】図１
0003106408.tif 000002
【実用新案登録請求の範囲】
【請求項１】
光透過性のディスク本体と、前記ディスク本体のレーベル面側に設けられたインク受理層と、記録層に対して、光入射側と反対側に隣接して設けられた反射層と、を有してなり、
前記インク受理層及び反射層は、ディスク本体中心側の内周端が前記記録層の内周端よりも３〜１５ｍｍ程度、ディスク本体中心側となるように設けられたことを特徴とする光記録媒体。
【請求項２】
請求項１において、
前記インク受理層が透明とされ、該インク受理層の下側に白色の下地層が設けられたことを特徴とする光記録媒体。
【請求項３】
請求項１において、
前記インク受理層が白色とされたことを特徴とする光記録媒体。
【請求項４】
請求項１乃至３のいずれかにおいて、
前記ディスク本体の光入射面側の表面をハードコート層により被ったことを特徴とする光記録媒体。
【考案の詳細な説明】
【技術分野】
【０００１】
本考案は光記録媒体に係り、特に、光入射面と反対側のレーベル面側に印刷を行なうことが可能な光記録媒体に関する。
【背景技術】
【０００２】
近年、ＣＤ（Ｃompact  Ｄisc）、ＤＶＤ（Ｄigital  Ｖersatile  Ｄisc）であって、特に、ユーザによるデータの記録が可能な追記型の光記録媒体が普及している。
【０００３】
ユーザが上記のようなタイプの光記録媒体に自ら画像データや音楽データのようなデジタルデータを記録した場合、その光記録媒体のレーベル面（光入射面とは反対側の面）側に、記録内容を表示する情報を、プリンタで印刷をすることができる光記録媒体がある（特許文献１参照）。
【０００４】
前記レーベル面における印刷可能な領域はプリントエリアと称されて、白色のインク受理層が設けられ、レーベル面側にインクが定着できるようにされている。
【０００５】
【特許文献１】特開２０００−１４９３３３号公報
【考案の開示】
【考案が解決しようとする課題】
【０００６】
ここで、多くのユーザから、インク受理層を拡大し、より多くの情報を印刷できるようにすることが要望されているが、インク受理層はディスク中心側に拡大せざるを得ない。しかしながら、単純にインク受理層を拡大しても、これが透けることにより拡大部分の白色度が低下してしまい、従って、この拡大部分には鮮明な印刷ができないという問題点を生じる。
【０００７】
本考案の目的は、中心側にインク受理層を拡大しても、その拡大部分の白色度の低下が無く、鮮明な印刷が可能となるインク受理層を備えた光記録媒体を提供することにある。
【課題を解決するための手段】
【０００８】
本考案は、（１）光透過性のディスク本体と、前記ディスク本体のレーベル面側に設けられたインク受理層と、記録層に対して、光入射側と反対側に隣接して設けられた反射層と、を有してなり、前記インク受理層及び反射層は、ディスク本体中心側の内周端が前記記録層の内周端よりも３〜１５ｍｍ程度、ディスク本体中心側となるように設けられた記録媒体により、上記目的を達成するものである。
【０００９】
又、以下の本考案により上記目的を達成することができる。
【００１０】
（２）前記インク受理層が透明とされ、該インク受理層の下側に白色の下地層が設けられたことを特徴とする（１）に記載の光記録媒体。
【００１１】
（３）前記インク受理層が白色とされたことを特徴とする（１）に記載の光記録媒体。
【００１２】
（４）前記ディスク本体の光入射面側の表面をハードコート層により被ったことを特徴とする（１）乃至（３）のいずれかに記載の光記録媒体。
【考案の効果】
【００１３】
本考案においては、インク受理層及び反射層が、共に、記録層の内周端よりも内側に拡大して設けられているので、インク受理層の拡大部分において、透けによる白色度の低下が無く、インク受理層全体に亘って鮮明に印刷することができるという効果を有する。
【考案を実施するための最良の形態】
【００１４】
光記録媒体はＤＶＤであり、このＤＶＤは、光透過性のディスク本体と、このディスク本体のレーベル面側に設けられた白色のインク受理層と、記録層に対して光入射側と反対側に隣接して設けられた反射層とを有してなり、インク受理層及び反射層は、ディスク本体中心側の内周端が、前記記録層の内周端よりも３〜１５ｍｍ程度、ディスク本体中心側となるように設けられている。
【実施例１】
【００１５】
図１、図２に示されるように、実施例１に係る光記録媒体１０は、ＤＶＤであり、且つ、中心部に円形の孔部１２が形成された光透過性のディスク本体１４と、このディスク本体１４のレーベル面側に設けられたインク受理層１６と、ディスク本体１４の光入射面側を被って形成されたハードコート層１８とを有して構成されている。前記インク受理層１６は透明であり、これと前記ディスク本体１４のレーベル面との間には白色下地層１７が設けられている。
【００１６】
前記ディスク本体１４は、前記ハードコード層１８側から、光透過性基板２０、機能層２２、保護層２４、接着層２６、ダミー基板２８をこの順で積層して構成されている。
【００１７】
前記機能層２２は、光透過性基板２０側の記録層２２Ａと、光入射面側と反対側の反射層２２Ｂとにより構成されている。従来のＤＶＤの例では、前記機能層における記録層と反射層、及びインク受理層の内周端が一致されているが、この実施例１においては、前記インク受理層１６、白色下地層１７及び反射層２２Ｂの内周端１６Ａ、１７Ａ、２３Ｂが、記録層２２Ａの内周端２３Ａよりもディスク本体中心側に３〜１５ｍｍ程度ずれて形成されている。
【００１８】
前記ハードコート層１８は、例えば、特開２００２−２３４９０６号公報に記載されているように、粒径が小さいコロイダルシリカを含むコーティング材料を、例えばスピンコート法によりコーティングしたものである。
【００１９】
この実施例１の光記録媒体１０において、インク受理層１６及び白色下地層１７の裏側にまで反射層２２Ｂが延在されているので、該インク受理層１６及び白色下地層１７が透けることがなく、ユーザにおいて、光記録媒体１０の中心部近くまで情報を鮮明に印刷することができる。
【実施例２】
【００２０】
次に、図３を参照して、本考案の実施例２に係る光記録媒体３０について説明する。
【００２１】
この光記録媒体３０は、前記光記録媒体１０におけるインク受理層１６及び白色下地層１７に代えて、白色インク受理層３２に置き換えたものである。図３の符号３２Ａは、白色インク受理層３２の内周端を示す。
【００２２】
他の構成は光記録媒体１０と同一であるので、図２と同一部分に同一符号を付することにより説明を省略するものとする。
【００２３】
なお、前記反射層２２Ｂの内周端２３Ｂは、ディスク本体径方向の位置が、実施例１においては、インク受理層１６及び白色下地層１７の内周端１６Ａ、１７Ａと一致され、実施例２においては、白色インク受理層３２の内周端３２Ａと一致されているが、反射層２２Ｂの内周端２３Ｂの位置を、他の内周端１６Ａ、１７Ａあるいは３２Ａよりも若干（例えば１ｍｍ）小さく（内側に）することにより、インク受理層側から見た場合の位置ずれや偏心を防止することができる。
【００２４】
前記各実施例において、ハードコート層１８が、光入射面を保護するために形成されているが、本考案はこれに限定されるものでなく、ハードコート層が設けられていない場合についても本考案が適用されるものである。
【００２５】
なお、上記実施例１、２はＤＶＤに関するものであるが、本考案はこれに限定されるものでなく、ＣＤ、次世代光ディスクにも適用されるものである。
【図面の簡単な説明】
【００２６】
【図１】本考案の実施例１に係る光記録媒体の要部を模式的に拡大して示す断面図
【図２】同光記録媒体のレーベル面を示す平面図
【図３】実施例２に係る光記録媒体を示す図１と同様の断面図
【符号の説明】
【００２７】
１０、３０…光記録媒体
１２…孔部
１４…ディスク本体
１６…インク受理層
１６Ａ、１７Ａ，２３Ａ、２３Ｂ、３２Ａ…内周端
１７…白色下地層
１８…ハードコート層
２０…光透過性基板
２２Ａ…記録層
２２Ｂ…反射層
３２…白色インク受理層
【図１】
0003106408.tif 000003
【図２】
0003106408.tif 000004
【図３】
0003106408.tif 000005